(57)【特許請求の範囲】
【請求項１】
情報記録媒体に記録されており、利用者に供するために音響信号及び／又は映像信号として再生されるべき第１情報信号を、再生プロセスに従って再生して出力することにより利用者に供することが可能であると共に、前記第１情報信号の前記情報記録媒体上の記録エリアとは別に記録された所定の制御情報を含む第２情報信号を再生して出力する情報再生装置と、この情報再生装置の再生プロセスを遠隔制御するリモコンとを含む双方向情報伝送システムにおいて、
前記リモコンは、
前記情報再生装置から出力された前記第２情報信号を入力する信号入力部と、
利用者が判断情報を入力することができる情報入力部と、
該情報入力部へ入力された判断情報と、前記信号入力部から入力された第２情報信号に含まれる制御情報とから前記情報再生装置の再生プロセスを遠隔制御するための制御信号を形成する信号形成部と、
該信号形成部が形成した制御信号を前記情報再生装置に向けて出力する信号出力部と
を備えること
を特徴とする双方向情報伝送システム。
【請求項２】
前記第１情報信号は、複数の判断情報の内のいずれかを利用者に選択させるための命題情報を含み、
前記制御情報は、前記リモコンの前記情報入力部へ入力された判断情報と対比すべき参照情報と、前記情報記録媒体上での前記第１情報信号の再生位置に関する互いに異なる複数の移動先情報とを含み、
前記信号形成部は、前記情報入力部へ入力された判断情報と参照情報とに基づいて前記複数の移動先情報の内のいずれかの移動先情報を選択し、選択した移動先へ前記第１情報信号の再生位置を移動させるための制御信号を形成するようにしてあること
を特徴とする請求項１に記載の双方向情報伝送システム。
【請求項３】
情報記録媒体に記録されており、利用者に供するために音響信号及び／又は映像信号として再生されるべき第１情報信号を、再生プロセスに従って再生して出力することにより利用者に供することが可能であると共に、前記第１情報信号の前記情報記録媒体上の記録エリアとは別に記録された所定の制御情報を含む第２情報信号を再生して出力する情報再生装置の再生プロセスを遠隔制御するリモコンであって、
前記情報再生装置から出力された前記第２情報信号を入力する信号入力部と、
利用者が判断情報を入力することができる情報入力部と、
該情報入力部へ入力された判断情報と、前記信号入力部から入力された第２情報信号に含まれる制御情報とから前記情報再生装置の再生プロセスを遠隔制御するための制御信号を形成する信号形成部と、
該信号形成部が形成した制御信号を前記情報再生装置に向けて出力する信号出力部と
を備えることを特徴とするリモコン。
【請求項４】
前記第１情報信号は、複数の判断情報の内のいずれかを利用者に選択させるための命題情報を含み、
前記制御情報は、前記リモコンの前記情報入力部へ入力された判断情報と対比すべき参照情報と、前記情報記録媒体上での前記第１情報信号の再生位置に関する互いに異なる複数の移動先情報とを含み、
前記信号形成部は、前記情報入力部に入力された判断情報と参照情報とに基づいて前記複数の移動先情報の内のいずれかの移動先情報を選択し、選択した移動先へ前記第１情報信号の再生位置を移動させるための制御信号を形成するようにしてあること
を特徴とする請求項３に記載のリモコン。
【発明の詳細な説明】
【０００１】
【発明の属する技術分野】
この発明は、情報再生装置と利用者との間で情報の双方向伝送が可能に成された双方向情報伝送システム、及びこの双方向情報伝送システムに用いるリモコンに関するものである。
【０００２】
【従来の技術】
上記のような双方向情報伝送システムは、例えば教育用システムとして用いられている。そしてそのような従来例として、特開平５−２６６５７９号公報記載のものを挙げることができる。図９は、この従来のシステムを示す概略構成図である。このシステムは、コンパクトディスク（以下、「ＣＤ」という。）５２を装填して音響信号の再生を行うことができるよう成された情報再生装置５１と、ヘッドホン５５が接続されたコントローラ５４とを備えて構成されている。そして前記情報再生装置５１に設けられた送受信部５３とコントローラ５４との間で、赤外線信号ＩＲが双方向に伝送されるようになっている。また前記コントローラ５４には、利用者が操作可能なスイッチ（図示せず）が設けられている。そしてＣＤ５２に記録された音声の再生を情報再生装置５１によって行うと、再生された音声は、赤外線信号ＩＲとして前記送受信部５３からコントローラ５４へと送信される。そこで利用者は、送信された音声をヘッドホン５５で聴取しながら、コントローラ５４に設けられたスイッチの操作を行う。するとそのときの操作情報が赤外線信号ＩＲとしてコントローラ５４から前記送受信部５３に送信され、この操作情報の内容に従って前記情報再生装置５１が所定の動作を行うようになっている。
【０００３】
次に、前記ＣＤ５２が「歴史の年号暗記用教育ソフト」である場合を例として、前記システムの動作を説明する。ＣＤ５２の再生が開始されると、ヘッドホン５５を介してまず次のような質問が利用者に供される。
「鎌倉幕府が制定されたのは１１９２年である。正しいと思う場合はＡスイッチ、正しくないと思う場合はＢスイッチを押してください。」
前記情報再生装置５１は、このメッセージを再生した後に一時停止状態となる。そこで利用者は、自己の判断に基づいてコントローラ５４に設けられたＡスイッチ又はＢスイッチのいずれかを押下する。すると前記情報再生装置５１は、押下されたスイッチがいずれのスイッチであるかの情報を前記送受信部５３を介して入力し、これが正解か不正解かを判断する。そして正解であったときは、「正解です。」という正解メッセージが記録されているトラックへジャンプする一方、不正解であったときは、「間違いです。」という不正解メッセージが記録されているトラックへジャンプし、そののち一時停止を解除して各トラックに記録されたメッセージの再生を行うのである。このように再生された音声とコントローラ５４のスイッチとによって利用者はシステムの操作を進め、対話形式で歴史の年号を暗記することができるようになっている。
【０００４】
【発明が解決しようとする課題】
前記ＣＤ５２には、利用者に供するための音声メッセージの他、情報再生装置５１に一時停止を命令したり再生開始位置をジャンプさせたりするための制御情報が記録されている。一方、前記情報再生装置５１には、Ａスイッチ又はＢスイッチのいずれが押下されたかの情報を含む信号が、コントローラ５４から送信される。そして情報再生装置５１は、ＣＤ５２から読み取った前記制御情報とコントローラ５４から入力した択一的なスイッチ情報とに基づいて、一時停止、ジャンプ、再生開始等の種々の動作を行うようになっている。すなわち、この情報再生装置５１は、コントローラ５４から「０」又は「１」で表されるような択一的な情報を入力し、この情報に従って動作の選択を行うよう予め構成されたものだということである。
【０００５】
ところが前記のような教育用システムにおいても、その質問の内容によってはＡスイッチとＢスイッチとだけでは対応できない場合もある。例えばテキストに４種類の時計の絵を印刷しておき、「８時３０分を指しているのはどれでしょう。」という質問を情報再生装置から出力するような場合には、４種類の絵に対応して入力された４種類の信号に従って情報再生装置の動作を決定しなければならない。あるいは「鎌倉幕府が制定されたのは何年ですか。」という質問を情報再生装置から出力する場合には、前記コントローラにテンキーを設けておき、テンキーによって入力された数字の列を表現する信号に従って情報再生装置の動作を決定しなければならない。しかしながらこれらの場合にはそれぞれ入力する信号の形式が異なるし、また各入力信号に従って情報再生装置の動作を決定するのに必要となるハードウェア構成も、それぞれに異なるものとなる。従って前記情報再生装置５１を予め種々の質問形式に対応できるような構成にしようとすると、そのハードウェア構成はきわめて複雑なものとなり、これによって多大なコストアップを招くことにもなりかねない。とくに前記のような教育用システムが特定の年齢や時期においてだけ必要となるものである場合が多いことを考慮すると、利用者にとってこれは非常に不経済である。一方、同形式の質問にのみ対応できるハードウェア構成とすると、情報再生装置５１自体のコストはある程度抑えられるものの、利用者には大きな不便を強いることになる。
【０００６】
この発明は、上記従来の課題を解決するためになされたものであって、その目的は、高度かつ柔軟な対話型システムを経済的に構成することが可能な双方向情報伝送システム、及びこの双方向情報伝送システムに用いるリモコンを提供することにある。
【０００７】
【課題を解決するための手段】
そこで請求項１の双方向情報伝送システムは、情報記録媒体に記録されており、利用者に供するために音響信号及び／又は映像信号として再生されるべき第１情報信号を、再生プロセスに従って再生して出力することにより利用者に供することが可能であると共に、前記第１情報信号の前記情報記録媒体上の記録エリアとは別に記録された所定の制御情報を含む第２情報信号を再生して出力する情報再生装置と、この情報再生装置の再生プロセスを遠隔制御するリモコンとを含む双方向情報伝送システムにおいて、前記リモコンは、前記情報再生装置から出力された前記第２情報信号を入力する信号入力部と、利用者が判断情報を入力することができる情報入力部と、該情報入力部へ入力された判断情報と、前記信号入力部から入力された第２情報信号に含まれる制御情報とから前記情報再生装置の再生プロセスを遠隔制御するための制御信号を形成する信号形成部と、該信号形成部が形成した制御信号を前記情報再生装置に向けて出力する信号出力部とを備えることを特徴としている。
【０００８】
また請求項３のリモコンは、情報記録媒体に記録されており、利用者に供するために音響信号及び／又は映像信号として再生されるべき第１情報信号を、再生プロセスに従って再生して出力することにより利用者に供することが可能であると共に、前記第１情報信号の前記情報記録媒体上の記録エリアとは別に記録された所定の制御情報を含む第２情報信号を再生して出力する情報再生装置の再生プロセスを遠隔制御するリモコンであって、前記情報再生装置から出力された前記第２情報信号を入力する信号入力部と、利用者が判断情報を入力することができる情報入力部と、該情報入力部へ入力された判断情報と、前記信号入力部から入力された第２情報信号に含まれる制御情報とから前記情報再生装置の再生プロセスを遠隔制御するための制御信号を形成する信号形成部と、該信号形成部が形成した制御信号を前記情報再生装置に向けて出力する信号出力部とを備えることを特徴としている。
【０００９】
これらの双方向情報伝送システム又はリモコンでは、情報再生装置の再生プロセスを制御するための制御情報を含む第２情報信号を情報再生装置から一旦リモコンに送信するようにしている。そしてリモコン内において、利用者がリモコンに入力した判断情報と情報再生装置から送信された第２情報信号に含まれる制御情報とから情報再生装置を制御するための制御信号を形成し、この制御信号を情報再生装置に出力するようにしている。従って情報再生装置の構成を、その動作が利用者の判断情報に応じてどのように決定されるかにかかわらず、リモコンによって遠隔制御されると共に制御情報を含む第２情報信号をリモコンへ出力するものであれば十分とすることが可能となる。またここでいう「制御信号を形成する」には、予め形成された複数の制御信号から適切な制御信号を選択することも含まれる。
【００１０】
請求項２の双方向情報伝送システム又は請求項４のリモコンは、前記第１情報信号は、複数の判断情報の内のいずれかを利用者に選択させるための命題情報を含み、前記制御情報は、前記リモコンの前記情報入力部へ入力された判断情報と対比すべき参照情報と、前記情報記録媒体上での前記第１情報信号の再生位置に関する互いに異なる複数の移動先情報情報とを含み、前記信号形成部は、前記情報入力部へ入力された判断情報と参照情報とに基づいて前記複数の移動先情報の内のいずれかの移動先情報を選択し、選択した移動先へ前記第１情報信号の再生位置を移動させるための制御信号を形成するようにしてあることを特徴としている。
【００１１】
これらの双方向情報伝送システム又はリモコンでは、互いに異なる複数の再生位置の移動先情報を制御情報としてリモコンに送信し、利用者の入力した判断情報に基づいてその中から移動先情報を選択するようにしている。従って情報再生装置の再生プロセスが利用者の判断に応じて展開するようなシステムを構成することが可能となる。
【００１２】
【発明の実施の形態】
次に、この発明の双方向情報伝送システム、及びリモコンの具体的な実施の形態について、図面を参照しつつ詳細に説明する。
【００１３】
（実施形態１）図１は、実施形態１の双方向情報伝送システムを示すブロック図である。このシステムは、所定の第１情報信号及び第２情報信号が記録されたＣＤ、ミニディスク（以下、「ＭＤ」という。）、カセットテープ等の情報記録媒体２を装填し、この情報記録媒体２に記録された第１情報信号を再生して利用者に供することができるように成された情報再生装置１と、この情報再生装置１を遠隔制御するリモコン１１とを備えて構成されている。ここでは、前記情報記録媒体２としてＭＤを用いた場合について説明する。前記情報再生装置１は、ＭＤ２を回転させたり光ピックアップを移動させたりするための駆動部３と、ＭＤ２から読み出された信号を２チャンネルの音響信号（第１情報信号）に復号化する信号再生部４と、再生された音響信号を利用者に供するスピーカ７とを有している。また受信センサ６は、リモコン１１の信号出力部１２から出力された赤外線信号ＩＲを受け、コントローラ５に第２情報信号を出力する。このコントローラ５はマイクロコンピュータの機能を有し、前記受信センサ６から入力した制御信号や、情報再生装置１本体に設けられた操作スイッチ（図示せず）の操作に基づいて、前記駆動部３及び信号再生部４を制御するものである。
【００１４】
また前記ＭＤ２では、第１情報信号である音響信号の記録エリアとは別に、この音響信号に付随するサブコード（第２情報信号）が記録できるサブコードエリアが確保されている。このエリアに記録されるサブコードは、ＭＤ２の曲間や経過時間等を符号化した制御用コードと、曲名や演奏者等を示すグラフィック、文字、合成音声等を符号化した利用者用コードとから成るものである。このようなサブコードは、ＭＤ２から読み出された信号を前記信号再生部４で復号化することによって得られ、さらに前記コントローラ５を介してデータ送信ＬＥＤ８からリモコン１１に、赤外線信号ＩＲとして出力されるようになっている。
【００１５】
一方、前記リモコン１１は、ＭＤ２として幼児教育用ソフトを用いる場合に対応するよう構成されている。前記リモコン１１には、前記データ送信ＬＥＤ８から赤外線信号ＩＲとして出力されたサブコードを入力するための信号入力部１５が設けられている。入力したサブコードはさらにこの信号入力部１５で復号化され、マイクロコンピュータの機能を有するコントローラ１３に送られる。またこのコントローラ１３には、データの読み書きが可能なメモリ１４、利用者８に対して種々の表示を行う表示部１７が接続されている。さらにこのリモコン１１には、テキスト等に示された印刷パターンを読み取ることのできるスキャナ（情報入力部）１８が設けられている。そしてこのスキャナ１８は、前記印刷パターンの示すデータを復号化するデコーダ１６を介して、前記コントローラ１３に接続されている。
【００１６】
図２は、前記ＭＤ２に記録された信号を示す概念図である。ＭＤ２は物理的には円盤状であるが、ここでは図を簡明にして理解を容易とするため、時間軸を横にとってテープ状に描いている。さらに、ここではＭＤ２が前記幼児教育用ソフトである場合を例にして説明する。まずその１番目のトラック（ＴＮＯ＝１）には、利用者に対して所定の判断を求める質問（命題情報）Ｑ１が記録されている。そしてこの質問Ｑ１に続いて２番目のトラック（ＴＮＯ＝２）には正解メッセージＣＭ１が、３番目のトラック（ＴＮＯ＝３）には不正解メッセージＷＭ１が記録されている。そして４番目のトラック（ＴＮＯ＝４）には次の質問Ｑ２が記録され、以後、これを繰り返すように記録されている。これらＱ１、ＣＭ１、ＷＭ１、Ｑ２は、第１情報信号である音響信号として記録されているが、各トラックに設けられたサブコードエリアには、これらの第１情報信号に付随してサブコードが記録されている。そしてこのサブコードには、前記情報再生装置１の再生プロセスを制御するための制御情報が含められている。ここで再生プロセスとは、再生の一時停止やその解除、あるいは所定の再生位置へのジャンプ等を含むものであって、情報再生装置１における再生の進行過程を指していうものである。そこで次に、前記制御情報をどのようにしてサブコードに含めているかについて説明する。
【００１７】
ＭＤ２のサブコードのうち、前述の利用者用コードには文字情報を含めることができる。そこでこのＭＤ２は、前記制御情報を文字情報として利用者用コードに含めている。この場合、含めた文字情報が制御情報であるのか表示部１７で表示するための表示情報であるのかを判別できることが必要である。そこで通常の表示ではほとんど使用されることのない特殊文字列「＊＊」を、その判別記号として用いている。つまり、ある文字列が特殊文字列「＊＊」で囲まれていれば、その文字列は制御情報を示すものだということである。表１は、このようにして符号化される各文字列と制御情報との関係を一例として示している。
【００１８】
【表１】
0003624303.tif 000002
【００１９】
次に、ＭＤ２として幼児教育用ソフトを用いた場合の前記システムの動作について説明する。図３は、前記システムを構成する情報再生装置１及びリモコン１１と、所定の印刷パターン９が印刷されたテキスト１０とを示している。また図４は、前記リモコン１１の動作を示すフローチャートである。まず、図２に示すような信号が記録されたＭＤ２の再生を、前記情報再生装置１によって開始する。すると１番目のトラックの再生がなされ、質問Ｑ１がスピーカ７から利用者に供される。これは、例えば「問１、二つある果物はどれでしょう。」というようなものである。そしてこの１番目のトラックの再生に伴って、そのサブコードエリアに記録されたサブコードが再生される。これは、トラック番号が「１」であるという情報と図２に示すような「＊＊Ａ２Ｇ２Ｎ３Ｐ＊＊」という文字情報とを含んだものである。このような文字情報を含んだサブコードは、上述のようにデータ送信ＬＥＤ８からリモコン１１に出力される。そしてリモコン１１に入力されたサブコードから信号入力部１５によって文字情報が取り出され、この文字情報はコントローラ１３を介してメモリ１４に格納される（ステップＳ１）。
【００２０】
ところで信号入力部１５によって取り出された前記文字情報は、文字列「＊＊」で囲まれている。従ってこれは、情報再生装置１の再生プロセスを制御するための制御情報である。この制御情報には、質問Ｑ１の正解が２番であるという情報、すなわち質問Ｑ１に対して利用者が入力した解答（判断情報）と対比できる参照情報と、利用者の入力した解答が正解であったときは再生位置の移動先が２番目のトラックの先頭であり、前記解答が不正解であったときは再生位置の移動先が３番目のトラックの先頭であるという情報、すなわち音響信号の再生位置に関する互いに異なる複数の移動先情報と、現トラックの再生が終了すれば一時停止するというポーズ情報とが含まれている。そこでコントローラ１３は、１番目のトラックの再生が終了すると、前記ポーズ情報に基づいて情報再生装置１の再生を一時停止させるための制御信号を形成する。そしてこの制御信号を、信号出力部１２から情報再生装置１に出力する（ステップＳ２）。すると情報再生装置１は、受信センサ６でこの制御信号を受信し、そのコントローラ５は駆動部３及び信号再生部４を一時停止状態にする。
【００２１】
この動作を利用者から見ると、質問Ｑ１が再生されたのちに、情報再生装置１が一時停止状態になっている。そこで利用者は、テキスト１０の印刷パターン９をリモコン１１のスキャナ１８で走査することにより、質問Ｑ１で求められた判断に答える。リモコン１１は、ステップＳ３において、スキャナ１８から印刷パターン９の示すデータを読み込む。この印刷パターン９は、その形状によって種々の整数値を表現するものである。そしてスキャナ１８で読み込んだ印刷パターン９は、例えば４ビットのディジタル信号で表現されるような整数値に、前記デコーダ１６で復号化される。このときメモリ１４内には、情報再生装置１から送信された制御情報に基づいて、質問Ｑ１の正解番号が２番である旨が記憶されている。そこで前記リモコン１１のコントローラ１３は、ステップＳ４において、前記印刷パターン９の示すデータと前記正解番号とを比較する。
【００２２】
そしてこの比較によって、利用者８のした判断が質問Ｑ１の解答として正解であると判定されたときは、次にステップＳ５へ進む。そして前記移動先情報に従って、２番目のトラックの先頭位置へ再生位置をジャンプさせる信号をコントローラ１３で形成し、この信号を信号出力部１２から出力する。つまり、ここではコントローラ１３が信号形成部として機能するということである。そしてこれに続いて情報再生装置１の一時停止状態を解除するための制御信号を形成し、この信号を信号出力部１２から出力する。すると前記情報再生装置１の一時停止が解除され、２番目のトラックの先頭から音響信号の再生が開始される。そしてこれにより、正解メッセージＣＭ１がスピーカ７から利用者に供される。これは、例えば「正解。よくできました。」というようなものである。そしてこの２番目のトラックの再生に伴って、そのサブコードエリアに記録されたサブコードが再生される。このサブコードには、図２に示すように「＊＊Ｊ４＊＊」という文字情報が含まれている。このサブコードも前記と同様にデータ送信ＬＥＤ８を介してリモコン１１に出力される。そして信号入力部１５で前記文字情報が取り出された後、この文字情報はコントローラ１３を介してメモリ１４に格納される（ステップＳ６）。
【００２３】
ところでこの文字情報も文字列「＊＊」で囲まれたものであるから、情報再生装置１の再生プロセスを制御するための制御情報である。そしてこの制御情報は、現在のトラックの再生が終了した後に４番目のトラックにジャンプするというものである。そこでコントローラ１３は、この制御情報に基づいて４番目のトラックにジャンプするための制御信号を形成する。そして２番目のトラックの再生が終了すれば、この制御信号を前記信号出力部１２から出力する（ステップＳ７）。すると情報再生装置１は、２番目の質問Ｑ２が含まれる４番目のトラックの再生を開始するとともに前記ステップＳ１と同様にサブコードを受信し（ステップＳ８）、以後、上記ルーチンを繰り返す。
【００２４】
一方、前記比較によって、利用者の入力した判断が質問Ｑ１の解答として不正解であると判定されたときは、ステップＳ９へ進む。そして前記移動先情報に従って、３番目のトラックの先頭位置へ再生位置をジャンプさせる信号をコントローラ１３で形成し、この信号を信号出力部１２から出力する。そしてこれに続いて情報再生装置１の一時停止状態を解除するための制御信号を形成し、この信号を信号出力部１２から出力する。すると前記情報再生装置１の一時停止が解除され、３番目のトラックの先頭から再生が開始される。そしてこの再生により、不正解メッセージＷＭ１がスピーカ７から利用者に供される。これは、例えば「残念でした。正解は２番のさくらんぼだよ。」というようなものである。そしてこの３番目のトラックの再生に伴って、そのサブコードエリアに記録されたサブコードが再生される。このサブコードには、例えば「セイカイハサクランボ」というような文字情報が含まれている。この文字情報は文字列「＊＊」で囲まれていないから、表示情報である。従ってこの表示情報はコントローラ１３から表示部１７に出力され、この表示部１７でそのまま文字として表示されることになる（ステップＳ１０）。そして３番目のトラックの再生が終了すると、引き続き４番目のトラックの再生を開始し（ステップＳ８）、以後、上記ルーチンを繰り返す。なお、サブコードエリアに記録できる最大文字数は制限されているから、問題数が多い等のためにサブコードエリアが容量不足となる場合には、前記のような表示情報をサブコードに含めなくてもよい。
【００２５】
次に、ＭＤ２として中等教育用ソフトを用いる場合について説明する。図５は、このようなＭＤ２に対応するリモコン４５を用いた双方向情報伝送システムを示す概略構成図である。このリモコン４５は、前記質問Ｑ１等に対する判断を利用者が入力できる解答ボタン（情報入力部）２２を有している。この解答ボタン２２は、各種数字を入力するテンキー２２ａと、入力した数字を確定するための確定キー２２ｂと、入力した数字を取り消すための取消キー２２ｃとから成っている。またこのリモコン４５には、前記解答ボタン２２の他に、直接に情報再生装置１を遠隔制御するための操作ボタン２３も設けられている。そしてこのリモコン４５においても、情報再生装置１から赤外線信号ＩＲとして出力されたサブコードを入力するための信号入力部１５と、制御信号を赤外線信号ＩＲとして情報再生装置１に送信するための信号出力部１２とが設けられている。
【００２６】
このシステムに用いる中等教育用ソフトとしては、例えば歴史の年号暗記用教育ソフトがある。このソフトは、質問Ｑ１として例えば「鎌倉幕府が制定されたのは何年ですか。」という音響信号を記録し、その年号をリモコン４５を介して利用者に入力させるものである。そこで次に、ＭＤ２としてこのようなソフトを用いた場合のシステムの動作を説明するが、リモコン４５の動作を示すフローチャート及びＭＤ２の記録パターンは、基本的にはそれぞれ前述した図４、図２に示す通りである。ただフローチャートのステップＳ１では、前記のような質問Ｑ１に付随して、「＊＊Ａ１１９２Ｇ２Ｎ３Ｐ＊＊」という制御情報が情報再生装置１から送信される。そして利用者は、フローチャートのステップＳ３において、前記質問Ｑ１に対して「１」「１」「９」「２」「確定」というように解答ボタン２２を押下する。このようにして解答ボタン２２を押下すると、各ボタン毎に例えば４ビットの信号が発生し、４×４ビットの信号として判断情報がコントローラ１３に送られる。そしてコントローラ１３はステップＳ４において、１１９２年が正解である旨を示す「Ａ１１９２」という参照情報と、利用者によって入力された前記４×４ビットの判断情報とを比較するのである。なお利用者の入力した判断情報が前記以外のものであったときはステップＳ９で不正解メッセージＷＭ１が再生されるが、これは例えば「残念でした。正解は１１９２年です。」というようなものである。
【００２７】
上記システムでは、ＭＤ２に記録された制御情報をいったん情報再生装置１からリモコン１１、４５に送信している。そしてリモコン１１、４５内において、このリモコン１１、４５に入力された利用者の判断情報と前記制御情報とから情報再生装置１を制御するための制御信号を形成し、この制御信号を情報再生装置１に出力している。従って、スキャナ１８で読み取った４ビットの判断情報と「Ａ２」という２文字の参照情報とに基づいて情報再生装置１の再生プロセスを制御する場合と、テンキー２２ａで入力された４×４ビットの判断情報と「Ａ１１９２」という５文字の参照情報とに基づいて情報再生装置１の再生プロセスを制御する場合とで、何ら情報再生装置１の構成を変更する必要はない。すなわち、情報再生装置１の構成としては、リモコン１１、４５によって遠隔制御される他に、ＭＤ２に記録された制御情報をリモコン１１、４５へ出力できるように成されていれば十分だということである。そのため情報再生装置１の構成を簡素なものとすることができるとともに、リモコン１１、４５を取り替えるだけで種々の質問形式に対応した教育用システムを構成することができる。さらに教育用システムに限らず、リモコン１１、４５を取り替えることによってロールプレイングゲーム等を行う娯楽用システムを構成することもできる。従って利用者にとっては非常に経済的かつ柔軟なシステムとなる。
【００２８】
また上記システムでは、互いに異なる複数の再生位置の移動先を、制御情報としてリモコン１１、４５に送信している。そして利用者の入力した判断情報に基づいて、再生位置の移動先を選択するようにしている。従って情報再生装置の再生プロセスが利用者の判断に応じて展開する高度な対話型システムを構成することができる。そしてこれにより、前記のように正解と不正解とで再生するトラックを変更できるのみならず、例えば正解が続けば次第に難度の高い問題に進むようなシステムとすることもできる。
【００２９】
以上にこの発明の実施形態１について説明したが、この発明は上記実施形態に限定されるものではなく、この発明の範囲内で種々変更して実施することができる。上記では、情報再生装置１からリモコン１１、４５へ赤外線信号ＩＲとしてサブコードを送信したが、これは電波信号として出力してもよいし、情報再生装置が携帯型であってリモコンとが有線接続されているような場合には、電気信号として出力してもよい。またこのようにリモコンと有線接続された携帯型の情報再生装置には、ヘッドホンステレオとして一般に普及しているものがある。従ってこのようなヘッドホンステレオを用いれば、前記システムを安価に構成することができる。また前記情報再生装置では、赤外線信号ＩＲの送信系統を内蔵している。しかしながらこれは、所定の出力端子からサブコードを取り出すことができるように成されたヘッドホンステレオや、デジタルリンク出力端子を備えたラジカセ又はオーディオコンポ等を用いるとともに、この出力端子に赤外線信号ＩＲの送信ユニットを接続して前記情報再生装置を構成するようにしてもよい。
【００３０】
また上記では、情報再生装置としてＭＤ２の再生を行うものを用いたが、これはＣＤやＬＤ、あるいはＤＶＤを再生するものを用いてもよい。必ずしもＭＤ２のように利用者があとから信号を記録できるような情報記録媒体を用いる必要はない。またＭＤ２等の情報記録媒体を装填してその再生を行う情報再生装置に限らず、第１及び第２情報信号を蓄積した遠隔地にある装置と有線又は無線の通信網で接続され、この通信網を通じて第１及び第２情報信号を入力するとともにその再生を行うように成された情報再生装置を用いてもよい。このような情報再生装置は、通信網を通じて入力した前記第１及び第２情報信号を一旦メモリに記憶してから再生するようにしたものでもよいし、メモリに記憶することなく実時間処理で再生するものであってもよい。
【００３１】
さらに前記リモコン１１、４５は、質問Ｑ１等に対する判断を利用者が入力できる情報入力部としてスキャナ１８や解答ボタン２２を有するものであったが、これら以外に例えばタッチパネルやペン入力装置を有するものであってもよい。また一時停止やジャンプなどのように情報再生装置１の再生プロセスを制御する制御情報だけでなく、出力音量や音質、Ｌ−Ｒバランス等を制御する制御情報をサブコードに含めてもよい。
【００３２】
（実施形態２）次に、実施形態２の双方向情報伝送システム及びリモコンについて説明する。図６は、このシステムのブロック図である。図１に示す実施形態１のシステムと同一のブロックについては同一の符号を付し、ここで繰り返して詳説することを避ける。この双方向情報伝送システムが上記実施形態１のシステムと異なっているのは、第２情報信号を情報再生装置１からリモコン１１へ音波信号ＡＳとして送信している点である。従って情報再生装置１には図１に示すようなデータ送信ＬＥＤ８はなく、その代わりリモコン１１には、スピーカ７から出力された音波信号ＡＳを受信するマイク（信号入力部）１９が設けられている。そしてこのマイク１９からの出力信号は、次にフィルタ２０に入力され、所定の周波数帯域に存する信号のみが取り出される。取り出された信号はデコーダ２１で復号化され、コントローラ１３に送られる。
【００３３】
図７は、ＭＤ２に記録された第１及び第２情報信号を示す概念図である。このＭＤ２は、２チャンネルの音響信号を前記第１及び第２情報信号として記録できるものである。またＭＤ２は物理的には円盤状であるが、ここでは図を簡明にして理解を容易とするため、時間軸を横にとってテープ状に描いている。さらに、ここではＭＤ２が教育用ソフトである場合を例にして説明する。まずその１番目のトラックの最初には、トラック番号が「１」であることを示すトラック番号コードＴＮＯが記録されている。そして次に、利用者８（図６参照）に対して所定の判断を求める質問（命題情報）Ｑ１が記録されている。さらにこの質問Ｑ１に続いて、利用者がした判断が正解であるか不正解であるかを判定するための参照情報として正解コードＣＣが記録され、また音声信号の再生位置に関する互いに異なる複数の移動先情報として、前記判断が正解であった場合における再生開始位置を示す正解時ジャンプ先ＣＪと不正解であった場合における再生開始位置を示す不正解時ジャンプ先ＷＪとが記録され、さらに前記リモコン１１を介して情報再生装置１の再生を一時停止させるための一時停止命令ＰＩが記録されている。そしてこの一時停止命令ＰＩに続いて正解メッセージＣＭ１が記録され、１番目のトラックの最後には次質問ジャンプ先ＮＪが記録されている。また２番目のトラックには、上記と同様にその最初にトラック番号が「２」であることを示すトラック番号コードＴＮＯが記録され、これに続いて不正解メッセージＷＭ１が記録されている。さらに前記ＭＤ２には、２番目の質問Ｑ２、この質問Ｑ２に関する正解メッセージＣＭ２、不正解メッセージＷＭ２、３番目の質問Ｑ３等が引き続いて記録されている。ただその記録パターンは前記１番目の質問Ｑ１に関する記録パターンと同じであるので、説明を簡明にするためここでの詳説は省略する。
【００３４】
ところで前記Ｑ１、ＣＭ１、ＷＭ１等は音声信号（第１情報信号）として記録されているが、情報再生装置１の再生プロセスを制御するための制御情報である前記ＴＮＯ、ＣＣ、ＣＪ、ＷＪ、ＰＩ、ＮＪは、１０ｋＨｚ〜２０ｋＨｚの周波数帯域において、ＤＴＭＦ信号（第２情報信号）として記録されている。このＤＴＭＦ信号は、例えば電話機のように前記周波数帯域中の高域側と低域側とのそれぞれにおいて互いに調音の関係にない４つのトーン信号を選び、高域側のトーン信号の一つと低域側のトーン信号の一つとを組み合わせて一つのシンボルを形成するものである。従ってこの例のＤＴＭＦ信号によれば、それぞれ意味の異なる１６種類のシンボルを構成することができる。表２に、各シンボルと、このシステムにおいて各シンボルに割り当てられたそれぞれの意味とを示している。そしてこのようなＤＴＭＦ信号によって前記制御情報を符号化し、これをＭＤ２に記録しておくのである。表３は、記録された符号と制御情報との関係を一例として示している。この表３にあるように、例えば「１２番目のトラックにジャンプする」という制御情報であれば、シンボル「Ｂ」を表すＤＴＭＦ信号と、シンボル「１」を表すＤＴＭＦ信号と、シンボル「２」を表すＤＴＭＦ信号とを、所定時間継続するバースト信号として順次に記録することになる。そしてこのときＤＴＭＦ信号のうち高域側の信号を２チャンネルの一方のチャンネルに記録し、低域側の信号を他方のチャンネルに記録する。またバースト信号の包絡線は、その立ち上がり部において信号のない状態から滑らかに振幅を増加させ、またその立ち下がり部において信号のない状態へと滑らかに振幅を減少させるようにしている。そしてバースト信号の継続時間は、約１００ｍＳ以下である。
【００３５】
【表２】
0003624303.tif 000003
【表３】
0003624303.tif 000004
【００３６】
次に、ＭＤ２として幼児教育用ソフトを用いた場合における上記システムの動作について説明する。前記システムの概略構成は、図３に示すものと同様であるが、情報再生装置１から音波信号ＡＳが送信され、これをリモコン１１のマイク１９で受信する点だけが異なっている。図８は、前記リモコン１１の動作を示すフローチャートである。まず、図７に示すような信号が記録されたＭＤ２の再生を、前記情報再生装置１によって開始する。するとスピーカ７からは、前記ＴＮＯを符号化したＤＴＭＦ信号が出力される。これは１０ｋＨｚ以上の周波数を有する音波信号ＡＳであるため利用者８にはほとんど聞こえないが、リモコン１１のマイク１９によって受信することができる（ステップＳ２１）。受信した音波信号ＡＳはマイク１９で電気信号に変換され、フィルタ２０によってＤＴＭＦ信号が抽出される。そしてデコーダ２１によってこのＤＴＭＦ信号が復号化され、トラック番号が「１」であるという制御情報が前記コントローラ１３に入力される。次に前記スピーカ７からは、質問Ｑ１が音波信号ＡＳとして出力される。この音波信号ＡＳは主として５００Ｈｚ〜１０ｋＨｚの周波数帯域内にある音声信号であって、例えば「二つある果物はどれでしょう。」というようなものである。
【００３７】
質問Ｑ１の再生が終わると、前記スピーカ７からは、制御情報ＣＣ、ＣＪ、ＷＪを符号化したＤＴＭＦ信号が出力される。リモコン１１は、図８のステップＳ２２において、前記マイク１９でこれらのＤＴＭＦ信号を受信する。受信したＤＴＭＦ信号は、前記ＴＮＯと同様に、フィルタ２０及びデコーダ２１によって制御情報ＣＣ、ＣＪ、ＷＪに復号化され、コントローラ１３に入力される。そしてさらにこのコントローラ１３を介して、前記制御情報ＣＣ、ＣＪ、ＷＪはメモリ１４に格納される。次に情報再生装置１のスピーカ７からは、一時停止命令ＰＩを符号化したＤＴＭＦ信号が出力される。このＤＴＭＦ信号も前記フローチャートのステップＳ２３においてマイク１９で受信され、フィルタ２０及びデコーダ２１によって復号化される。前記コントローラ１３は、復号化された一時停止命令ＰＩから情報再生装置１を一時停止させるための一時停止信号ＰＳを形成する。そしてこの一時停止信号ＰＳは、ステップＳ２４において、前記コントローラ１３から信号出力部１２を介し、赤外線信号ＩＲとして前記情報再生装置１に送信される。情報再生装置１は、受信センサ６でこの赤外線信号ＩＲを受信し、そのコントローラ５は駆動部３及び信号再生部４を一時停止状態にする。
【００３８】
上記の動作を利用者８から見ると、質問Ｑ１が再生されたのちに、情報再生装置１が一時停止状態になっている。そこで利用者８は、テキスト１０の印刷パターン９をリモコン１１のスキャナ１８で走査することにより、質問Ｑ１に対する解答（判断情報）を入力する。リモコン１１は、ステップＳ２５において、スキャナ１８から印刷パターン９の示すデータを読み込む。このときメモリ１４内には、情報再生装置１から送信された「＃２」という正解コードＣＣに基づいて、正解番号が２番である旨が記憶されている。そこで前記リモコン１１のコントローラ１３は、ステップＳ２６において、利用者８が入力した解答と前記正解番号とを対比する。
【００３９】
そしてこの対比によって、利用者８の入力した判断が質問Ｑ１の解答として正解であると判定されたときは、ステップＳ２７へ進んで一時停止解除信号ＲＳを信号出力部１２から出力する。すると前記情報再生装置１の一時停止が解除され、そのスピーカ７からは正解メッセージＣＭ１が音声信号として出力される。これは、例えば「正解。よくできました。」というようなものである。そしてこの正解メッセージＣＭ１の再生が終わると、情報再生装置１のスピーカ７からは、次質問ジャンプ先ＮＪがＤＴＭＦ信号として出力される。リモコン１１はこれをステップＳ２８で受信し、前記と同様にして復号化したのち、３番目のトラックの先頭まで情報再生装置１の再生位置をジャンプさせるジャンプ信号ＮＪＳを形成する。そしてこのジャンプ信号ＮＪＳを赤外線信号ＩＲとして、信号出力部１２を介して情報再生装置１に出力する（ステップＳ２９）。すると情報再生装置１は、２番目の質問Ｑ２が含まれるトラックの再生を開始し、そして以後、上記ルーチンを繰り返す。
【００４０】
一方、前記比較によって、利用者８の入力した判断が質問Ｑ１の解答として不正解であると判定されたときは、ステップＳ３０へ進んで不正解時ジャンプ信号ＷＪＳをコントローラ１３が形成し、これを信号出力部１２から出力する。この不正解時ジャンプ信号ＷＪＳは、ＭＤ２が図２のように記録されている場合には、情報再生装置１の再生開始位置を２番目のトラックの先頭に移動させる信号である。すなわち、このシステムではコントローラ１３が信号形成部として機能するということである。そして再生開始位置を２番目のトラックの先頭としたのち、ステップＳ３１で前記信号出力部１２から一時停止解除信号ＲＳを出力する。すると情報再生装置１のスピーカ７からは、不正解メッセージＷＭ１が音声信号として出力される。これは、例えば「残念でした。正解は２番のさくらんぼだよ。」というようなものである。そしてこのときは続いて３番目のトラックの再生を開始し、再び上記ルーチンを繰り返す。
【００４１】
次に、ＭＤ２として中等教育用ソフトを用いる場合について説明する。この場合に対応するリモコン４５を用いた双方向情報伝送システムを示す概略構成も、およそ図５に示すとおりである。ただこの場合にも、情報再生装置１から音波信号ＡＳが送信され、これをリモコン４５のマイク１９で受信する点だけが異なっている。
【００４２】
このシステムに用いる中等教育用ソフトとしては、例えば歴史の年号暗記用教育ソフトがある。このソフトは、質問Ｑ１として例えば「鎌倉幕府が制定されたのは何年ですか。」という音響信号を記録し、その年号をリモコン４５を介して利用者に入力させるものである。そこで次に、ＭＤ２としてこのようなソフトを用いた場合のシステムの動作を説明するが、リモコン４５の動作を示すフローチャート及びＭＤ２の記録パターンは、基本的にはそれぞれ前述した図８、図７に示す通りである。ただフローチャートのステップＳ２２では、正解コードＣＣとして「＃１１９２」という参照情報が送信される。そして利用者は、フローチャートのステップＳ２５において、前記質問Ｑ１に対して「１」「１」「９」「２」「確定」というように解答ボタン２２を押下する。このようにして解答ボタン２２を押下すると、実施形態１の場合と同様に各ボタン毎に例えば４ビットの信号が発生し、４×４ビットの信号として判断情報がコントローラ１３に送られる。そしてコントローラ１３はステップＳ２６において、１１９２年が正解である旨を示す「＃１１９２」という参照情報と、利用者によって入力された前記４×４ビットの判断情報とを比較するのである。
【００４３】
上記システムにおいても、ＭＤ２に記録された制御情報をいったん情報再生装置１からリモコン１１、４５に送信している。そしてリモコン１１、４５内において、このリモコン１１、４５に入力された利用者の判断情報と前記制御情報とから情報再生装置１を制御するための制御信号を形成し、この制御信号を情報再生装置１に出力している。従って、スキャナ１８で読み取った４ビットの判断情報と「＃２」という短い参照情報とに基づいて情報再生装置１の再生プロセスを制御する場合と、テンキー２２ａで入力された４×４ビットの判断情報と「＃１１９２」という長い参照情報とに基づいて情報再生装置１の再生プロセスを制御する場合とで、何ら情報再生装置１の構成を変更する必要はない。すなわち、情報再生装置１の構成としては、リモコン１１、４５によって遠隔制御される他に、ＭＤ２に記録された制御情報をリモコン１１、４５へ出力できるように成されていれば十分だということである。そのため情報再生装置１の構成を簡素なものとすることができるとともに、リモコン１１、４５を取り替えるだけで種々の質問形式に対応した教育用システムを構成することができる。さらに教育用システムに限らず、リモコン１１、４５を取り替えることによってロールプレイングゲーム等を行う娯楽用システムを構成することもできる。従って利用者にとっては非常に経済的かつ柔軟なシステムとなる。またこのシステムでは制御情報をスピーカ７から音波信号ＡＳとして送信しているので、特別な送信機能を持たない情報再生装置を用いることができ、これによってシステムをより安価に構成することができる。
【００４４】
また上記システムでは、互いに異なる複数の再生位置の移動先を、制御情報としてリモコン１１、４５に送信している。そして利用者の入力した判断情報に基づいて、再生位置の移動先を選択するようにしている。従って情報再生装置の再生プロセスが利用者の判断に応じて展開する高度な対話型システムを構成することができる。そしてこれにより、前記のように正解と不正解とで再生するトラックを変更できるのみならず、例えば正解が続けば次第に難度の高い問題に進むようなシステムとすることもできる。
【００４５】
以上にこの発明の具体的な実施の形態について説明したが、この発明は上記実施形態に限定されるものではなく、この発明の範囲内で種々変更して実施することができる。上記では情報再生装置としてＭＤ２の再生を行うものを用いたが、これはカセットテープやＣＤ、ＬＤ、あるいはＤＶＤを再生するものを用いてもよい。必ずしもＭＤ２のように利用者があとから信号を記録できるような情報記録媒体を用いる必要はない。またＭＤ２等の情報記録媒体を装填してその再生を行う情報再生装置に限らず、第１及び第２情報信号を蓄積した遠隔地にある装置と有線又は無線の通信網で接続され、この通信網を通じて第１及び第２情報信号を入力するとともにその再生を行うように成された情報再生装置を用いてもよい。このような情報再生装置は、通信網を通じて入力した前記第１及び第２情報信号を一旦メモリに記憶してから再生するようにしたものでもよいし、メモリに記憶することなく実時間処理で再生するものであってもよい。さらに前記リモコン１１、４５は、質問Ｑ１等に対する判断を利用者が入力できる情報入力部としてスキャナ１８や解答ボタン２２を有するものであったが、これら以外に例えばタッチパネルやペン入力装置を有するものであってもよい。
【００４６】
【発明の効果】
上記のように請求項１の双方向情報伝送システム又は請求項３のリモコンでは、情報再生装置の構成を簡素なものとすることが可能となる。またリモコンを取り替えるだけで種々の対話型システムを構成することができるので、利用者にとっては非常に経済的かつ柔軟なシステムを構成することが可能となる。
【００４７】
また請求項２の双方向情報伝送システム又は請求項４のリモコンでは、利用者の判断に応じて情報再生装置の再生が展開するようなシステムを構成できるので、高度な制御を要する複雑な対話型システムを構成することが可能となる。
【図面の簡単な説明】
【図１】この発明の実施形態１の双方向情報伝送システムを示すブロック図である。
【図２】前記システムに用いるＭＤの記録パターンを示す説明図である。
【図３】前記システムの使用状態を示す概略構成図である。
【図４】前記システムを構成するリモコンの動作を示すフローチャートである。
【図５】前記システムの変形例を示す概略構成図である。
【図６】この発明の実施形態２の双方向情報伝送システムを示すブロック図である。
【図７】前記システムに用いるＭＤの記録パターンを示す説明図である。
【図８】前記システムを構成するリモコンの動作を示すフローチャートである。
【図９】従来例の双方向情報伝送システムを示す概略構成図である。
【符号の説明】
１    情報再生装置
２    ＭＤ
１１    リモコン
１２    信号出力部
１３    コントローラ
１５    信号入力部
１８    スキャナ
２２    解答ボタン
４５    リモコン
【図１】
0003624303.tif 000005
【図２】
0003624303.tif 000006
【図３】
0003624303.tif 000007
【図４】
0003624303.tif 000008
【図５】
0003624303.tif 000009
【図６】
0003624303.tif 000010
【図７】
0003624303.tif 000011
【図８】
0003624303.tif 000012
【図９】
0003624303.tif 000013